(57)【特許請求の範囲】
【請求項１】
属性を示す属性情報を保持する情報保持部と、表示情報を表示する表示部と、を有する情報保持媒体が複数の工程で使用され、
前記情報保持部、または／および、前記表示部から、前記情報保持媒体の使用頻度を示す使用頻度情報を取得する取得手段と、
前記取得された使用頻度情報と、前記複数の工程ごとに予め定められた閾値に基づいて、初期化された情報保持媒体を前記複数の工程から、使用されるべき工程に割り当てる割当手段と、
を有し、
前記複数の工程にはそれぞれ品質順位が定められており、
前記閾値は、前記品質順位が高くなるにつれて低く設定されており、
前記割当手段は、前記取得された使用頻度情報が前記閾値より大か否かを判定する処理を、前記品質順位が最も高い工程から順次行ない、該使用頻度情報が閾値以下になった場合に、該閾値についての工程に、前記情報保持媒体を割り当てることを特徴とする管理システム。
【請求項２】
更に、少なくとも前記表示情報を初期化する初期化装置を含み、
前記取得手段は、前記表示情報が初期化された情報保持媒体の使用頻度を示す使用頻度情報を取得するものであることを特徴とする請求項１記載の管理システム。
【請求項３】
前記割当手段が、直近で使用されていた工程よりも下位の品質順位の工程に割り当てると判断した場合には、前記直近で使用されていた工程で使用できるように、直近に印刷装置に印刷された前記表示情報の属性を変更して、該印刷装置に該表示情報を印刷させる印刷指示情報を出力する印刷指示手段を有することを特徴とする請求項１または２記載の管理システム。
【請求項４】
割当装置により、
複数の工程で使用され、属性を示す属性情報を保持する情報保持部と、表示情報を表示する表示部と、を有する情報保持媒体が前記情報保持部、または／および、前記表示部から、前記情報保持媒体の使用頻度を示す使用頻度情報を取得する取得段階と、
前記取得された使用頻度情報と、前記複数の工程ごとに予め定められた閾値に基づいて、初期化された情報保持媒体を前記複数の工程から、使用されるべき工程に割り当てる割当段階と、
を有し、
前記複数の工程にはそれぞれ品質順位が定められており、
前記閾値は、前記品質順位が高くなるにつれて低く設定されており、
前記割当段階は、前記取得された使用頻度情報が前記閾値より大か否かを判定する処理を、前記品質順位が最も高い工程から順次行ない、該使用頻度情報が閾値以下になった場合に、該閾値についての工程に、前記情報保持媒体を割り当てることを特徴とする管理方法。
【請求項５】
初期化装置により、少なくとも前記表示情報を初期化する初期化段階を有し、
前記取得段階は、前記表示情報が初期化された情報保持媒体の使用頻度を示す使用頻度情報を取得するものであることを特徴とする請求項４記載の管理方法。
【請求項６】
複数の工程で使用され、属性を示す属性情報を保持する情報保持部と、表示情報を表示する表示部と、を有する情報保持媒体が前記情報保持部、または／および、前記表示部から、前記情報保持媒体の使用頻度を示す使用頻度情報を取得する取得手段と、
前記取得された使用頻度情報と、前記複数の工程ごとに予め定められた閾値に基づいて、初期化された情報保持媒体を前記複数の工程から、使用されるべき工程に割り当てる割当手段と、を有し、
前記複数の工程にはそれぞれ品質順位が定められており、
前記閾値は、前記品質順位が高くなるにつれて低く設定されており、
前記割当手段は、前記取得された使用頻度情報が前記閾値より大か否かを判定する処理を、前記品質順位が最も高い工程から順次行ない、該使用頻度情報が閾値以下になった場合に、該閾値についての工程に、前記情報保持媒体を割り当てることを特徴とする割当装置。
【発明の詳細な説明】
【技術分野】
【０００１】
本発明は、管理システム、管理方法、割当装置に関する。
【背景技術】
【０００２】
従来から、工場や、様々な場所で、情報を保持するＲＦＩＤ（Ｒａｄｉｏ  Ｆｒｅｑｕｅｎｃｙ  ＩＤｅｎｔｉｆｉｃａｔｉｏｎ）を有し、且つ、該情報をユーザが視認可能に表示する情報保持媒体が用いられている。該情報の保持、および、該情報の表示はいずれも書き換え可能とされている。該情報保持媒体とは、例えば、定期券やポイントカードなどであり、情報保持媒体の詳細な構成は、［発明を実施するための形態］で説明する。
【０００３】
また、近年、情報保持媒体のレンタル業務が行なわれている。図１に、レンタル業務システムの構成例を示す。図１の例では、該レンタル業務は、顧客１０００（例えば工場）と管理会社２０００とで行なわれている（例えば、特許文献１参照）。
【０００４】
まず、管理会社２０００は、複数の情報保持媒体を顧客に配送（レンタル）する。そして、顧客１０００側で、該配送された複数の情報保持媒体に、印刷装置１０５０で必要な情報を情報保持媒体に印刷させ、例えば、工場である顧客１０００の各工程で使用し、該顧客１０００の業務を遂行する。情報保持媒体の使用については後述する。そして、一定の期間が経過すると、管理会社２０００は、顧客１０００から配送した情報保持媒体を回収する。
【発明の概要】
【発明が解決しようとする課題】
【０００５】
一般的に、印刷装置１０５０による情報保持媒体への印刷の回数が増加すると、情報保持媒体は磨耗等により耐久性が低下する。一方、複数の工程で情報保持媒体が使用される場合に、該複数の工程ごとに、使用される情報保持媒体の品質が異なる場合がある。例えば、複数の工程において、高品質な情報保持媒体が使用される工程を高品質工程といい、使用される情報保持媒体の品質が低い工程を低品質工程という。従来では、このような高品質工程や低品質工程が存在しても、画一的に、高品質工程や低品質工程に情報保持媒体が供給されて、情報保持媒体が使用されていた。従って、所定回数分印刷された情報保持媒体が、高品質工程で使用される場合には、使用途中に破損などで、使用できないという問題が生じる場合がある。そして、このような情報保持媒体は破棄されていた。しかし、この情報保持媒体は、高品質工程では、使用できないが、低品質工程では、使用できる。従って、情報保持媒体のコストが増加するという問題が生じる場合がある。
【０００６】
本発明では、このような問題を鑑みて、情報保持媒体が使用される工程が複数ある場合に、該複数の工程から、業務に支障が生じず、かつ、コスト削減するように、情報保持媒体が使用されるべき工程に割り当てる管理システム、管理方法、割当装置を提供する。
【課題を解決するための手段】
【０００７】
上記目的を達成するため、属性を示す属性情報を保持する情報保持部と、表示情報を表示する表示部と、を有する情報保持媒体が複数の工程で使用され、前記情報保持部、または／および、前記表示部から、前記情報保持媒体の使用頻度を示す使用頻度情報を取得する取得手段と、前記取得された使用頻度情報と、前記複数の工程ごとに予め定められた閾値に基づいて、該初期化された情報保持媒体を前記複数の工程から、使用されるべき工程に割り当てる割当手段と、を有する割当装置を含むことを特徴とする管理システムを提供する。
【発明の効果】
【０００８】
本発明の管理システム、管理方法、割当装置であれば、情報保持媒体が使用される工程が複数ある場合に、業務に支障が生じず、かつ、コスト削減するように、該複数の工程から、情報保持媒体が使用されるべき工程に割り当てる。
【図面の簡単な説明】
【０００９】
【図１】本実施例のレンタルシステムの機能構成例を示した図。
【図２】本実施例の情報保持媒体の一例の概念図を示した図。
【図３】本実施例の情報保持媒体の一例を示した図。
【図４】本実施例の管理会社側に設けられた装置の一例を示した図。
【図５】本実施例の判定装置の機能構成例を示した図。
【図６】本実施例の判定装置の処理フローを示した図。
【図７】本実施例の情報保持媒体につけられたキズの一例を示した図。
【図８】本実施例の消去残りが生じた情報保持媒体の一例を示した図。
【図９】本実施例のテーブル表の一例を示した図。
【図１０】別の実施形態の割当装置の処理フローを示した図。
【図１１】別の実施形態の割当装置の機能構成例を示した図。
【図１２】本実施例の管理システムの機能構成例を示した図。
【図１３】本実施例の顧客管理ＤＢの一例を示した図。
【図１４】本実施例の出庫・在庫ＤＢの一例を示した図。
【図１５】本実施例の顧客のシステムの一例を示した図。
【図１６】本実施例の工程管理ＤＢの一例を示した図。
【図１７】本実施例の割当装置の一例を示した図。
【図１８】別の実施形態の判定装置の処理フローを示した図。
【発明を実施するための形態】
【００１０】
［実施形態１］
まず、情報保持媒体について説明する。図２に情報保持媒体１０の概念図を示す。情報保持媒体１０は、表示部１４と情報保持部１２を有する。表示部１４には、後述する表示情報が表示され、情報保持部１２には、属性情報が保持される。
【００１１】
図３に、情報保持媒体１０の一例を示す。情報保持媒体１０は、例えば、カード形状とされる。情報保持媒体１０の表示部１４には、様々な情報（以下、「表示情報」という。）が書き換え可能に表示されている。表示情報とは文字や図形などである。図３の例では、表示情報は、「業務管理表  氏名○○  工程ＩＤ○○  工程内容○○」や二次元バーコードである。
【００１２】
また、情報保持媒体１０には、情報保持装置１２（破線で示す）が内蔵されている。情報保持装置１２とは、例えば、ＩＣチップなどのＲＦＩＤである。情報保持装置１２には、情報保持媒体の属性を示す属性情報が記憶されている。属性情報には、少なくとも、情報保持媒体１０を識別するための情報保持媒体ＩＤが含まれる。その他には、属性情報には、情報保持媒体１０が使用される工程の属性を示す情報などが含まれる。工程については後述する。工程の属性を示す情報とは、例えば、情報保持媒体１０を用いる作業者の氏名、工程ＩＤや工程内容などである。また、属性情報には、情報保持媒体１０には、情報保持媒体のサイズ、厚さ、性能、色、在庫の状況を示す在庫情報などが含まれるようにしてもよい。
【００１３】
また、情報保持媒体１０の表示部１４に、表示情報は、特殊なインクで記載されている。そして、該表示部１４を所定の温度にすることで、表示情報を（物理的に）消去することが出来る。そして、該特殊なインクにより表示情報は記載される。このようして、表示情報は、書き換え可能とされる。
【００１４】
また、情報保持媒体の情報保持装置１２内の属性情報は、後述する初期化装置により、初期化（電子的に消去）され、印刷装置により、新たに書き込まれる。このようにして、属性情報は、書き換え可能とされる。情報保持媒体の詳細については、例えば、「"日刊工業新聞社"［ｏｎｌｉｎｅ］［平成２３年３月２２日検索］インターネット〈ＵＲＬ：〈http://www.shinseihinjoho.jp/challenge21/100202/index.php〉」などに開示されている。
【００１５】
次に、情報保持媒体１０の使用方法を簡単に説明する。情報保持媒体１０が使用される工程中で、該情報保持媒体１０を保有する作業者（工程の作業を行なう者）は、例えば工程での作業の開始時または作業の終了時に、読取装置（図１５参照）に読み取らせる。該読取の際には、読取装置は、情報保持媒体１０の情報保持装置１２から、属性情報が含まれた電波を受信することで、属性情報を取得する。そして、読取装置は、該工程での作業が終了したことを、顧客ＰＣ（図１５参照）に記憶させる。
＜管理会社２０００側の処理＞
次に、管理会社２０００側の処理について説明する。図４に、管理会社２０００に配置される主な装置を示す。図４の例では、初期化装置１００と判定装置２００とが配置される。図５に判定装置２００の機能構成例を示し、図６に、管理会社２０００の主な処理フローを示す。また、初期化装置１００および判定装置２００は、管理者Ｍにより操作される。また、本実施例の判定装置２００は、管理会社２０００が、顧客１０００から、複数の情報保持媒体を回収した後に用いられるものである。
【００１６】
まず、管理者Ｍは、初期化装置１００により、回収された複数の情報保持媒体１０を初期化する。ここで、初期化とは、表示部１４に表示された属性情報、および／または、情報保持部１２に保持された属性情報を消去することである。より詳細には、工程の処理の内容を示す表示情報（後述する）や追記情報は消去される。
【００１７】
そして、管理者Ｍは初期化された情報保持媒体１０を入力手段２０１に入力する。取得手段２０２は、該入力された情報保持媒体１０から、使用頻度情報を取得する（ステップＳ４）。ここで、使用頻度情報とは、該情報保持媒体１０の使用頻度を示す情報である。本実施例では、使用頻度情報を（１）情報保持媒体１０の印刷回数（２）情報保持媒体１０のキズの量（３）情報保持媒体１０の表示部１４に表示された属性情報の消去残り量（４）情報保持媒体１０の表示部１４に付着した汚れ量（５）情報保持媒体１０の表示部１４の劣化量のうち、少なくとも１つとする。しかし、情報保持媒体１０の使用頻度を示す情報であれば、使用頻度情報として、（１）〜（５）の情報以外の情報を用いても良い。
＜（１）情報保持媒体１０の印刷回数＞
まず、情報保持媒体１０の印刷回数について、説明する。図１に示すように、顧客１０００は印刷装置１０５０を有している。そして、顧客１０００が所望する属性情報を印刷装置１０５０が、表示部１４に印刷し（表示させ）、かつ、情報保持部１２に保持させる。そして、印刷装置１０５０が、表示部１４に印刷する度に、情報保持部１２には、印刷回数として、１ずつ計測されて保持される。印刷回数の増加と共に、表示部１４は磨耗される。従って、印刷回数が多い情報保持媒体１０については、破棄の対象となる。また、初期化装置１００が、情報保持媒体１０を初期化する際には、属性情報を消去するが、印刷回数については消去しない。なお、印刷装置１０５０は、管理会社２０００に具備させ、管理会社２０００内の印刷装置１０５０で、属性情報を表示部１４に印刷し（表示させ）、かつ、情報保持部１２に保持させた後に、顧客１０００に配送してもよい。
【００１８】
取得手段２０２は、情報保持部１２に保持されている印刷回数を取得する（ステップＳ４）。そして、判定手段２０４は、取得された使用頻度情報（ここでは、印刷回数）と、予め定められた閾値Ａにより、情報保持媒体１０の使用を継続するか否かを判定する（ステップＳ６）。また、閾値Ａは予め定められるものであり、記憶手段２０７に記憶されているものである。例えば閾値Ａは５００回であるとする。
【００１９】
ここでは、判定手段２０４は、印刷回数が、閾値Ａ以上である場合には（ステップＳ６のＮｏ）、情報保持媒体１０は５００回以上、印刷装置１０５０により、属性情報が書き込まれているということであり、表示部１４の磨耗や情報保持部１２の故障に繋がる可能性が高くなる。そこで、判定装置２００は、印刷回数が、閾値Ａ以上である情報保持媒体１０については、破棄の対象であることを示す情報を出力する（ステップＳ１０）。該情報の出力は、判定装置２００の表示手段（図示せず）に表示させて、管理者Ｍに認識させる。
【００２０】
一方、印刷回数が、閾値Ａ未満である場合には（ステップＳ６のＹｅｓ）、情報保持媒体１０の印刷回数は、５００回未満であるということなので、使用を継続することを示す情報を出力する（ステップＳ８）。
＜（２）情報保持媒体１０のキズの量＞
次に、情報保持媒体１０のキズの量について、説明する。顧客１０００の作業者が、情報保持媒体１０を使用しているうちに、情報保持媒体１０の表示部１４（表面）にキズがつけられる。図７に、キズ２０がつけられた情報保持媒体１０の例を示す。図７の例では、初期化装置１００により、表示部１４の表示が消去された後の、キズがつけられた情報保持媒体１０の例である。キズがつけられると、情報保持媒体１０の初期化後に、表示部１４に属性情報を所定のインクで再び書き込む際に、適切に書き込めない場合などある。従って、つけられたキズが多い情報保持媒体１０については、破棄の対象とする。
【００２１】
取得手段２０２は、情報保持媒体１０の表示部１４につけられたキズの量を取得する（ステップＳ４）。ここで、キズの量とは、つけられたキズの合計面積、つまり、つけられた全てのキズにおいての「キズの長さ×キズの太さ」の合計であるとする。
【００２２】
取得手段２０２のキズの合計面積の求め方について説明する。取得手段２０２は、光学系デバイスとして機能し、情報保持媒体１０の表示部１４に対して光を照射する。そして、取得手段２０２は照射した光の反射光によりキズの長さ、キズの太さを取得する。キズがつけられていない表示部１４からの反射光は、照射光と略同一の光量であるが、キズがつけられている表示部１４からの反射光は、照射光が乱反射することで、反射光の光量と、照射光の光量とは略同一にはならない。この略同一にならない部分がキズであるとして認識する。
【００２３】
そして、判定手段２０４は、取得された使用頻度情報（ここでは、キズの量）と、予め定められた閾値Ｂにより、情報保持媒体１０の使用を継続するか否かを判定する（ステップＳ６）。また、閾値Ｂは予め定められるものであり、記憶手段２０７に記憶されているものである。
【００２４】
ここでは、判定手段２０４は、キズの量（キズの合計面積）が、閾値Ｂ以上である場合には（ステップＳ６のＮｏ）、情報保持媒体１０にはかなりのキズがつけられているということなので、該情報保持媒体１０は破棄の対象であることを示す情報を出力する（ステップＳ１０）。
【００２５】
一方、キズの量が、閾値Ｂ未満である場合には（ステップＳ６のＹｅｓ）、情報保持媒体１０には、あまりキズがつけられていないということなので、使用を継続することを示す情報を出力する（ステップＳ８）。
【００２６】
また、キズの量として、つけられたキズの合計面積としたが、つけられたキズの長さ、つけられたキズの太さ、つけられたキズの数のうち少なくとも１つとしてもよい。この場合には、これらそれぞれに対して閾値Ｂが設けられる。
＜（３）表示情報の消去残り量＞
次に、情報保持媒体１０の表示部１４の表示情報の消去残り量について、説明する。上述のように、管理者Ｍは、初期化装置１００により、情報保持媒体１０を初期化するのであるが、使用頻度情報として、表示情報の消去残り量を用いる場合には、初期化装置１００が、少なくとも、表示部１４に表示されている表示情報を（物理的に）消去するものとする。
【００２７】
上述のように、情報保持媒体１０の表示部１４に表示される表示情報は、書き換え可能とされ、情報保持媒体１０（特に、表示部１４）は特殊な素材が用いられる。初期化装置１００による表示部１４の表示情報の消去、および、印刷装置１０５０による表示部１４への表示情報の印刷や、作業者による表示部１４への加筆を繰り返していると、情報保持媒体１０の特殊な素材の特性上、表示情報が消去しきれず、表示情報が消去残り（残存）する場合がある。図８に消去残りした情報保持媒体１０の一例を示す。表示情報が消去残りすると、情報保持媒体１０の初期化後に、表示部１４に表示情報を所定のインクで再び書き込む際に、適切に書き込めない場合などある。従って、表示情報の消去残り量が予め定められた閾値Ｃ以上である情報保持媒体１０については、破棄の対象とする。
【００２８】
また、消去残り量とは、具体的には、消去残りした表示情報の濃度、または／および消去残りした表示情報の面積などである。
【００２９】
取得手段２０２は、情報保持媒体１０の表示部１４につけられた表示情報の消去残り量を取得する（ステップＳ４）。ここで、表示情報の消去残り量とは、消去残りした表示情報の濃度、または／および消去残りした表示情報の面積などである。
【００３０】
表示情報の消去残り量が、消去残りした表示情報の濃度である場合に、該表示情報の濃度の求め方について説明する。取得手段２０２は、光学系デバイスとして機能し、情報保持媒体１０の表示部１４に対して光を照射する。そして、取得手段２０２は、該照射された光の反射光を受光する。ここで、消去残りした表示情報の濃度と、取得手段２０２が受光する反射光の光量とは、略反比例する。従って、取得手段２０２は、反射光の光量を取得することで、消去残りした表示情報の濃度を取得できる。
【００３１】
また、表示情報の消去残り量が、消去残りした表示情報の面積である場合に、該表示情報の面積の求め方について説明する。取得手段２０２は、光学系デバイスとして機能し、情報保持媒体１０の表示部１４に対して光を照射する。そして、取得手段２０２は、該照射された光の反射光を受光する。ここで、表示情報が消去残りしている領域からの反射光の光量は、表示情報が消去残りしている領域以外の領域からの反射光の光量よりも少ない。従って、取得手段２０２が取得した反射光の光量により、消去残りしている表示情報の面積を取得できる。
【００３２】
そして、判定手段２０４は、取得された使用頻度情報（ここでは、表示情報の消去残り量）と、予め定められた閾値Ｃにより、情報保持媒体１０の使用を継続するか否かを判定する（ステップＳ６）。また、閾値Ｃは予め定められるものであり、記憶手段２０７に記憶されているものである。
【００３３】
ここでは、判定手段２０４は、表示情報の消去残り量が、閾値Ｃ以上である場合には（ステップＳ６のＮｏ）、情報保持媒体１０にはかなりの表示情報の消去残り量が存在しているということなので、該情報保持媒体１０は破棄の対象であることを示す情報を出力する（ステップＳ１０）。
【００３４】
一方、表示情報の消去残り量が、閾値Ｃ未満である場合には（ステップＳ６のＹｅｓ）、情報保持媒体１０には、あまり表示情報の消去残り量が存在しないということなので、使用を継続することを示す情報を出力する（ステップＳ８）。
【００３５】
また、表示情報の消去残り量として、消去残りした表示情報の面積および消去残りした表示情報の濃度の両方を用いる場合には、それぞれに対して閾値Ｃが設けられる。
＜（４）情報保持媒体１０の表示部１４に付着した汚れ量＞
次に、情報保持媒体１０の表示部１４に付着した汚れ量について説明する。顧客１０００の作業者が、情報保持媒体１０を使用しているうちに、情報保持媒体１０の表示部１４（表面）に汚れが付着する。この汚れとは、顧客１０００の作業者の工程での作業中に、表示部１４に付着した油やインクなどである。表示部１４に汚れが付着すると、情報保持媒体１０の初期化後に、表示部１４に属性情報を所定のインクで再び書き込む際に、適切に書き込めない場合などある。従って、付着した汚れが多い情報保持媒体１０については、破棄の対象とする。
【００３６】
取得手段２０２は、情報保持媒体１０の表示部１４につけられた汚れ量を取得する（ステップＳ４）。ここで、汚れ量とは、例えば、汚れ量が付着している面積である。
【００３７】
取得手段２０２による該表示情報の濃度の取得方法について説明する。取得手段２０２は、光学系デバイスとして機能し、情報保持媒体１０の表示部１４に対して光を照射する。そして、取得手段２０２は、該照射された光の反射光を受光する。ここで、汚れが付着している領域からの反射光の光量は、汚れが付着していない領域からの反射光の光量よりも少ない。従って、取得手段２０２が取得した反射光の光量により、汚れが付着している領域の面積を取得できる。
【００３８】
そして、判定手段２０４は、取得された使用頻度情報（ここでは、汚れ量）と、予め定められた閾値Ｄにより、情報保持媒体１０の使用を継続するか否かを判定する（ステップＳ６）。また、閾値Ｄは予め定められるものであり、記憶手段２０７に記憶されているものである。
【００３９】
ここでは、判定手段２０４は、汚れ量が、閾値Ｄ以上である場合には（ステップＳ６のＮｏ）、情報保持媒体１０にはかなりの汚れ量が存在しているということなので、該情報保持媒体１０は破棄の対象であることを示す情報を出力する（ステップＳ１０）。
【００４０】
一方、汚れ量が、閾値Ｄ未満である場合には（ステップＳ６のＹｅｓ）、情報保持媒体１０には、あまり汚れ量が存在しないということなので、使用を継続することを示す情報を出力する（ステップＳ８）。
＜（５）情報保持媒体１０の表示部１４の劣化量＞
次に、情報保持媒体１０の表示部１４の劣化量について説明する。また、この場合には、表示部１４が、白色であるとする。顧客１０００の作業者が、例えば、情報保持媒体１０を屋外で使用している間に、太陽光などで、該表示部１４に色あせや黄ばみ（以下、単に「色あせ等」という。）が生じる。劣化量とは、例えば、この色あせ等の量である。色あせ等が生じた場合には、二次元バーコードを読み込めないなどの問題が生じたり、情報保持媒体１０の初期化後に、表示部１４に属性情報を所定のインクで再び書き込む際に、適切に書き込めない場合などある。従って、劣化量が多い情報保持媒体１０については、破棄の対象とする。
【００４１】
取得手段２０２は、情報保持媒体１０の表示部１４につけられた劣化量を取得する（ステップＳ４）。ここで、劣化量とは、例えば、色あせ等が生じている領域の面積をいう。
【００４２】
取得手段２０２による劣化量の取得方法について説明する。取得手段２０２は、光学系デバイスとして機能し、情報保持媒体１０の表示部１４に対して光を照射する。そして、取得手段２０２は、該照射された光の反射光を受光する。ここで、色あせ等が生じている領域からの反射光の光量は、色あせ等が生じていない領域からの反射光の光量よりも少ない。従って、取得手段２０２が取得した反射光の光量により、色あせ等が生じている領域の面積を取得できる。
【００４３】
そして、判定手段２０４は、取得された使用頻度情報（ここでは、劣化量）と、予め定められた閾値Ｅにより、情報保持媒体１０の使用を継続するか否かを判定する（ステップＳ６）。また、閾値Ｅは予め定められるものであり、記憶手段２０７に記憶されているものである。
【００４４】
ここでは、判定手段２０４は、汚れ量が、閾値Ｅ以上である場合には（ステップＳ６のＮｏ）、情報保持媒体１０にはかなりの汚れ量が存在しているということなので、該情報保持媒体１０は破棄の対象であることを示す情報を出力する（ステップＳ１０）。
【００４５】
一方、汚れ量が、閾値Ｅ未満である場合には（ステップＳ６のＹｅｓ）、情報保持媒体１０には、あまり汚れ量が存在しないということなので、使用を継続することを示す情報を出力する（ステップＳ８）。
【００４６】
このように、使用頻度情報として、（１）情報保持媒体１０の印刷回数（２）情報保持媒体１０のキズの量（３）情報保持媒体１０の表示部１４に表示された属性情報の消去残り量（４）情報保持媒体１０の表示部１４に付着した汚れ量（５）情報保持媒体１０の表示部１４の劣化量のうち、少なくとも１つを含ませるようにする。
【００４７】
例えば、（１）〜（５）の項目のうち、複数用いる場合には、その複数の項目に対応する閾値を予め設定しておく。
【００４８】
また、ステップＳ６において、Ｙｅｓとなる場合を「可」とし、Ｎｏとなる場合を「否」とする。そして、（１）〜（５）の項目のうち、複数用いる場合には、それら、複数の項目のうち、「可」となる個数が予め定められた閾値Ｆ以上であれば、使用を継続し（ステップＳ８）、閾値Ｆ未満であれば、破棄する（ステップＳ１０）としてもよい。
【００４９】
この実施形態１によれば、取得手段２０２が、初期化された情報保持媒体１０から、使用頻度情報を取得し、該使用頻度情報と閾値とに基づいて、該情報保持媒体１０の使用を継続するか、破棄するかを判定する。従って、適切に、情報保持媒体の使用を継続するか否かを判定することが出来る。
［実施形態２］
次に、実施形態２について説明する。実施形態２では、管理システムについて説明する。図１２に管理システムの機能構成例を示す。図１２の例では、管理会社２０００は、初期化装置１００と割当装置２５０（後述する）と、顧客管理ＤＢ２０１０と出庫・在庫ＤＢ２０１０などを保有している。顧客管理ＤＢ２０１０には、顧客１０００１〜顧客１０００Ｎと、該顧客の関連している関連顧客３０００１〜３０００Ｍなどについての情報が記憶されている。図１３に、顧客管理ＤＢ２０１０の記憶情報の一例を示す。図１３の例では、顧客ごとに、顧客管理ＩＤが付されている。顧客管理ＩＤに応じて、顧客名称、住所、担当者の名称、契約形態、工場の有無、関連会社の有無、工程管理を識別する工程管理ＩＤ、設置場所、情報保持媒体１０を使用する環境、作業者などが示されている。なお、関連会社３０００１〜３０００Ｍにも、情報保持媒体１０は配送される。
【００５０】
また、図１４に、出庫・在庫ＤＢ２０２０に記憶されている記憶情報の一例を示す。図１４の例では、複数の部品で電子機器などを作成する場合についての記憶情報である。つまり、複数の工程それぞれで製造された複数の部品を組み合わせることで、該電子機器を製造する場合である。この場合に、該電子機器ＩＤに対応して、顧客１０００から回収される情報保持媒体１０の回収枚数、顧客１０００へ配送される情報保持媒体１０の配送枚数、管理会社２０００が保有する情報保持媒体在庫枚数、顧客の配達先が記憶されている。
【００５１】
また、図１５に、顧客１０００内のシステムの詳細例を示す。図１５に示すように、サーバ装置１１００には、顧客管理ＤＢ１０１０、工程管理ＤＢ１０２０、出庫・在庫ＤＢ１０３０がそれぞれ接続されている。そして、ハブ・ルータ装置１１１０により、顧客ＰＣ１１２０、サーバ装置１１００、３つの工程Ｘ〜Ｚ（後述する）それぞれの書込装置１１５０ｘ〜１１５０ｚ、読取装置１２００ｘ〜１２００ｚとが接続されている。
【００５２】
図１６に、工程管理ＤＢ１０２０の機能構成例を示す。図１６の例では、各工程ごとに工程管理ＩＤが付されている。そして、各工程管理ＩＤごとに、業種、工程規模（例えば、ライン数）、使用される情報保持媒体１０の種類、各工程が行なわれる地区などが示されている。また、顧客管理ＤＢ１０１０には、顧客１０００の関連顧客についての情報が、例えば、図１３のような形式で、記憶されている。また、出庫・在庫ＤＢ１０３０には、顧客１０００の情報保持媒体１０の出庫・在庫についての情報が、図１４のような形式で記憶されている。
【００５３】
また、実施形態２では、情報保持媒体１０が使用される工程が複数ある場合について説明する。図１３の例では、この複数を「３」とし、つまり、顧客１０００の工場内に、３つの工程Ｘ、Ｙ、Ｚが存在する場合について説明する。
【００５４】
顧客の工場内に所定の電子機器の組み立てや製造などの工程用のラインが複数設置される。その工程用のラインを部品などが流れ、各工程に割り当てられた作業員や担当者が部品の組み立てなどを行う。部品の組み立てなどは、各作業員や担当者が情報保持媒体１０の表示部１４に表示された表示情報（作業指示情報）に基づいて行う。
【００５５】
そして、作業者は、自分のところに割り当てられた作業が終了または作業が開始すれば、情報保持媒体１０に保持されている属性情報を読取装置１２００に読み取らせ、作業の完了または開始を顧客ＰＣ１１２０に登録する。また、各工程Ｘ〜Ｚに設置される読取装置１２００ｘ〜ｚで、表示部１４に印刷された内容の作業の開始または完了が自動的に認識されるようにしても良い。
【００５６】
ここで、指示書に印刷された内容に相違や変化、追加があれば、その変更内容に応じて各工程に設置される書込装置１１５０から変更された指示が示されている表示情報が印刷される。この印刷は、別の新しい情報保持媒体１０にデータを引き継ぐ処理で印刷されてもいいし、変更前の情報保持媒体１０を書込み装置１１５０に読み込ませ、すでに印刷されている内容を修正して再印刷させても良い。緊急の作業や別の作業（組み立ての統合、作業内容の分割など）が生じた際であっても、その内容に応じて情報保持媒体１０が新たに印刷されたり、書き換えられたりする。
【００５７】
情報保持媒体１０の印刷は、各工程での作業内容や作業者の情報やスキルレベルに応じて書き換えられるようにしても良い。この場合、各工程の作業の内容と作業のスキル、その作業者の熟練度／作業経験、国籍や障害の有無などが工程管理ＤＢ１０２０に記憶されている。そして、各工程ごとの作業を行う前に書き換えが指示され、その指示に基づき書込装置１１５０で書き換え／新たに印刷された表示情報に基づいて作業を行う。
【００５８】
情報保持媒体１０の回収は、所定の工程のライン毎、あるいは組み立てられた製品などの単位ごとに回収される。回収のタイミングは、事前に契約などに決められていたり、Ｗｅｂにて指示される。緊急の場合は担当者間での連絡（メールや電話など）によって、情報保持媒体１０を配送したり、回収したりする。
【００５９】
なお、情報保持媒体１０は、その顧客の工場や工程、ラインの規模や本数、製造する製品等の情報の機密性に応じて、準備、手配され、配送されることとなる。規模の大きい会社や工場であれば、異なるタイプの情報保持媒体１０が用意され、さらに、関連する会社があれば、その関連会社と合わせて情報保持媒体１０が使用される。例えば、ある親会社のＡ工場で用意された複数の部品が、Ｂ工場の工程のラインで組み立てられるとする。このようなケースでは、Ａ工場の工程のラインで使用される現品票としての情報保持媒体１０が、Ａ工場を出るときはＢ工場への現品票として印刷され、関連する部品とともに出庫される。
【００６０】
Ｂ工場では、Ａ工場から出庫された複数の部品を受け入れ、Ｂ工場内での作業として受け入れに設置される書込装置１１５０で情報保持媒体１０の書き換え／新たに印刷されることとなる。そして、書込装置１１５０で書き換え／新たに印刷された表示情報に基づいて、Ｂ工場内の作業が行われる。
【００６１】
次に、３つの工程Ｘ〜Ｚの前提について、簡単に説明する。工程Ｘは、精密装置を組み立てる工程であり、機密レベルが高い。また、表示部１４に印刷される表示情報（バーコードや数値や文字）も正確である必要があるため、工程Ｘでは、情報保持媒体１０の品質は高いものが要求される。
【００６２】
工程Ｙは、社外秘の装置を組み立てる工程であり、機密レベルも中程度である。また、社外秘であるため、情報保持媒体１０の表示部１４に印刷される表示情報も、中程度の正確性が要求される。従って、工程Ｙでは、情報保持媒体１０の品質は中程度のものが要求される。
【００６３】
工程Ｚは、屋外で行なわれる工程であり、例えば、屋外への出荷工程や検品工程である。また、屋外で行なわれるため、情報保持媒体１０が雨などにぬれる場合や、破損したりする場合もある。従って、工程Ｚでは、情報保持媒体１０の品質は、低でよい。
【００６４】
また、複数の工程には、それぞれ品質順位（ランク）が定められている。ここ、品質順位とは、各工程で使用される情報保持媒体１０の品質の順位を示すものである。この例では、品質順位は、工程Ｘ、工程Ｙ、工程Ｚの順番となる。また、複数の工程にはそれぞれ閾値が定められる。つまり、工程Ｘ、工程Ｙ、工程Ｚに対応する閾値を定めておく。そして、該閾値は、品質順位が高くなるにつれて低く設定されている。つまり、工程Ｘ〜Ｚの閾値は、それぞれ閾値は小、中、大として設定される。このような工程Ｘ、Ｙ、Ｚが存在すると仮定して、実施形態１の割当装置では、回収された情報保持媒体１０を複数の工程から、使用されるべき工程を選択して割り当てるものである。
【００６５】
また、以下の説明では、使用頻度情報を、（１）情報保持媒体１０の印刷回数Ｓ１（２）情報保持媒体１０のキズの量Ｓ２（３）情報保持媒体１０の表示部１４に表示された属性情報の消去残り量Ｓ３（４）情報保持媒体１０の表示部１４に付着した汚れ量Ｓ４（５）情報保持媒体１０の表示部１４の劣化量Ｓ５の全てを用いるとする。そして、工程Ｘについて、使用頻度情報Ｓ１〜Ｓ５それぞれに対して、閾値ＡＸ、ＢＸ、ＣＸ、ＤＸ、ＥＸを設定する。また、工程Ｙについて、使用頻度情報Ｓ１〜Ｓ５それぞれに対して、閾値ＡＹ、ＢＹ、ＣＹ、ＤＹ、ＥＹを設定する。また、工程Ｚについて、使用頻度情報Ｓ１〜Ｓ５それぞれに対して、閾値ＡＺ、ＢＺ、ＣＺ、ＤＺ、ＥＺを設定する。また、ＡＸ＜ＡＹ＜ＡＺとし、ＢＸ＜ＢＹ＜ＢＺとし、ＣＸ＜ＣＹ＜ＣＺとし、ＤＸ＜ＤＹ＜ＤＺとし、ＥＸ＜ＥＹ＜ＥＺとする。そして、記憶手段２０７は、これらの閾値を図９に示すようなテーブル表で記憶されている。例えば、工程Ｘでの使用頻度情報Ｓ１の閾値はＡＸとなる。
【００６６】
また、以下の説明では、品質順位が高い工程を「上位の工程」といい、品質順位が低い工程を「下位の工程」という。また、最も上位の工程を「最上位の工程」といい、最も下位の工程を「最下位の工程」という。この例では、最上位の工程とは、工程Ｘであり、最下位の工程とは、工程Ｚである。
【００６７】
また、図１７に、割当装置２５０の機能構成例を示す。図１７の割当装置２５０は、図５記載の判定手段２０４が、割当手段２５２に代替されているものである。また、図１０に、本実施形態２の割当装置２５０の処理フローを示す。また、実施形態２の割当装置２５０の機能構成例は、図５に示すものと同様である。ステップＳ２の初期化処理終了後、ステップＳ４で取得手段２０２は、初期化済みの情報保持媒体１０から使用頻度情報Ｓ１〜Ｓ５を取得する。そして、判定手段２０４は、情報保持媒体１０の使用対象の工程（以下、単に「使用対象工程」という。）として、最上位の工程（工程Ｘ）を設定する（ステップＳ２４）。そして、判定手段２０４は、設定された使用対象工程（ここでは、工程Ｘ）の閾値ＡＸ〜ＥＸを記憶手段２０７から取得する。
【００６８】
そして、判定手段２０４は、使用頻度情報Ｓ１〜Ｓ５それぞれと、閾値ＡＸ〜ＥＸそれぞれの大小を比較する。この例では、使用頻度情報Ｓ１〜Ｓ５について、全てが「可」となる場合（つまり、Ｓ１＞ＡＸ、かつ、Ｓ２＞ＢＸ、かつ、Ｓ３＞ＣＸ、かつ、Ｓ４＞ＤＸ、かつ、Ｓ５＞ＥＸとなる場合）のみ、Ｙｅｓとする。しかし、「可」となる項目が閾値Ｆ（例えば、３つ）以上である場合に、Ｙｅｓとしてもよい。
【００６９】
ステップＳ２６でＹｅｓとなる場合には、判定手段２０４は、「使用対象工程」が、設定されている工程（この例では、「工程Ｘ」）であることを決定する。つまり、設定されている工程での使用を継続する、と判定し、該判定結果を示す情報を出力する（ステップＳ２８）。
【００７０】
また、ステップＳ２６でＮｏの場合に、つまり、使用頻度情報Ｓ１〜Ｓ５について１つでも「否」となる場合には、ステップＳ３０に移行する。そして、判定手段２０４は、現在設定されている工程Ｘより下位の工程が存在するか否かを判定する（ステップＳ３０）。この場合には、下位の工程Ｙ、Ｚが存在することから、判定手段２０４はＹｅｓと判定する。そして、判定手段２０４は、使用対象工程として、１つ下位の工程である工程Ｙを設定して、ステップＳ２６に移行する。そして、ステップＳ２６の処理では、判定手段２０４は、使用頻度情報Ｓ１〜Ｓ５が、工程Ｙでの閾値ＡＹ〜ＥＹより大か否かを判定する。そして、ステップＳ２６、ステップＳ２８、ステップＳ３０、ステップＳ３２の処理を繰り返す。
【００７１】
また、ステップＳ３０において、判定手段２０４が、下位の工程が存在しないと判定した場合には、この情報保持媒体１０は破棄する、と判定する（ステップＳ１０）。この例では、使用対象工程が、工程Ｚと設定されていた場合に、ステップＳ３０で判定手段２０４が、下位の工程は存在しない、と判定すると、ステップＳ１０に移行する。
【００７２】
ステップＳ２８、ステップＳ１０での処理が終了すると、後処理が行なわれる。後処理とは、例えば、判定手段２０４が、工程Ｘで使用されていた情報保持媒体が、工程Ｘでは使用されず、工程Ｙで使用されると判定した場合には、工程Ｘで使用される情報保持媒体を新たに補填する処理である。このように、各工程で、使用できなくなった情報保持媒体の個数分、新たに補填する。また、後処理として、出庫・在庫ＤＢ（図１４参照）などの各種のＤＢの更新が行なわれる。
【００７３】
また、後処理として、使用される工程の変更があった情報保持媒体１０については、変更のあったことを示す情報を該情報保持媒体１０に示しても良い。例えば、印刷装置１０５０が、該情報を記載することが出来る領域を検出して、該領域に該情報を示すようにしてもよい。また、後処理として、所定の工程については、予め必要な品質（使用頻度情報）や枚数を予め定めておき、その品質を満たす情報保持媒体１０の枚数に到達するまで、別途に情報保持媒体を格納するようにしてもよい。また、後処理として、品質を満たしている情報保持媒体１０の使用履歴と各工程の使用状況、情報保持媒体の使用頻度情報から将来的に、何枚の情報保持媒体１０が不足するかを予測し、各工程間の情報保持媒体１０の出庫や在庫の調整を行うようにしてもよい。
【００７４】
また、図６、図１０で示したステップＳ２の初期化処理については、初期化をする前の情報時媒体１０から使用頻度情報を取得して、判定処理や割当処理を行うようにしてもよい。この場合には、使用頻度情報として、例えば、（１）情報保持媒体１０の印刷回数（２）情報保持媒体１０のキズの量（４）情報保持媒体１０の表示部１４に付着した汚れ量（５）情報保持媒体１０の表示部１４の劣化量のうち少なくとも１つが含まれたものであれば、適切に使用頻度情報を取得することが出来る。
【００７５】
また、複数の工程（工程Ｘ、Ｙ、Ｚ）が同じ使用施設内での工程であるとして説明したが、複数の工程がそれぞれ、異なる使用施設での工程というようにしてもよい。
【００７６】
また、各工程についての閾値は、情報保持媒体１０の状態や使用環境によって変更可能としてもよい。例えば、閾値の設定当初の各工程の環境がクリーンであったが、工場内のダクトや粉塵、散布オイル、作業者の清掃状況、などにより変化する。そのため、該変化により、閾値を変更するようにしても良い。
【００７７】
また、上記の説明は、同一の顧客、工場における品質順位が異なる複数の工程について説明した。しかし、品質順位が合致すれば、他の顧客間であってもよい。また、品質順位の変更、情報保持媒体１０の再利用の範囲に応じて、情報保持媒体１０のレンタル金額や、配送の設定で安くなったり、納期が早まるような仕組みにしてもよい。また、顧客が工場であるという前提で説明したが、他の業種や業務（配送や教育、医療など）での適用も可能である。
【００７８】
また、取得手段２０２は、情報保持媒体１０から１枚ずつ、情報保持部１２から使用頻度情報（つまり印刷回数）および、情報保持媒体１０の表面から使用頻度情報を取得するようにしてもよい。また、複数枚まとめて、情報保持部１２から使用頻度情報（つまり印刷回数）を取得した後に、該複数枚の情報保持媒体１０の表面から使用頻度情報を取得するようにしてもよい。
【００７９】
また、上記説明から、割当手段２５２の処理をまとめていうと、割当手段２５２は、取得手段２０２により取得された使用頻度情報が、閾値より大か否かを判定する処理を品質順位が最も高い工程（工程Ｘ）から品質順位が次に低い工程に対して順次行なわれる。そして、割当手段２５２は、使用頻度情報が閾値以下になった場合に、該閾値についての工程に、前記初期化された情報保持媒体を割り当てるものである。
【００８０】
この実施形態２の割当装置２５０によれば、情報保持媒体が使用される工程が、複数ある場合に、業務に支障が生じず、かつ、コスト削減するように、情報保持媒体が使用される工程を適切に決定して割り当てることが出来る。また、判定装置２００では、工程が１つの場合に、初期化された情報保持媒体１０の使用が継続されるか否かが判定される。
［実施形態３］
次に、実施形態３の割当装置について説明する。実施形態２では、図１０のステップＳ２６で、使用頻度情報が設定された工程での閾値より大きい場合には（ステップＳ２６のＮｏ）、該使用頻度情報は、次に品質順位が低い工程での閾値との大小が比較された（ステップＳ２６、ステップＳ３０、ステップＳ３２）。
【００８１】
しかし、例えば、使用頻度情報として、消去残り量を用いていた場合に、表示情報を大きく示すことで、使用を継続できる場合がある。実施形態２では、ステップＳ２６でＮｏと判定された場合でも、例えば、表示情報を大きくしたり、表示情報を消去残りしていない領域に印刷することで、使用を継続させることが出来る。
【００８２】
図１１に、実施形態３の割当装置３００の機能構成例を示し、図１８に、実施形態３の割当装置３００の処理フローを示す。図５記載の判定装置２００と比較して、検知手段２０８と、印刷指示手段２０６とが追加されている。また、図１８の例では、図１０と比較して、ステップＳ１０、ステップＳ３０、ステップＳ３２が、ステップＳ５０に代替されている点で異なる。
【００８３】
入力手段２０１から、情報保持媒体１０が入力されると、検知手段２０８は、表示情報の属性や、印刷できる領域（以下では、「印刷領域」といい、例えば、消去残りや劣化、キズ、汚れが生じていない領域）を検知する。ここで表示情報の属性とは、表示情報の大きさ（表示情報のフォントの大きさ）、表示情報の濃度、表示情報の座標のうち、少なくとも１つなどである。
【００８４】
そして、ステップＳ２６でＮｏと判定された場合には、ステップＳ５０に移行し、印刷指示手段２０６は、検知手段２０８が検知した印刷領域に表示情報を印刷できるように、直近に印刷装置１０５０に印刷された表示情報の属性を変更して、印刷させる印刷指示情報を出力する（以下、「印刷指示情報出力処理」という。）。
【００８５】
使用頻度情報として、（１）情報保持媒体１０の印刷回数Ｓ１（２）情報保持媒体１０のキズの量Ｓ２（３）情報保持媒体１０の表示部１４に表示された属性情報の消去残り量Ｓ３（４）情報保持媒体１０の表示部１４に付着した汚れ量Ｓ４（５）情報保持媒体１０の表示部１４の劣化量Ｓ５、を用いている場合に、判定手段２０４はＳ１について、「可」であり、Ｓ２、Ｓ３、Ｓ４、Ｓ５が「否」であると判定した場合について説明する。この場合には、検知手段２０８が印刷領域を検知した場合には、表示情報の大きさ、座標を変更することで、作業者が視認できるように、印刷装置１０５０は、表示部１４に表示情報を印刷することが出来る。この場合には、印刷装置１０５０は、表示情報を大きくして印刷し、または／および、表示情報の座標を変更して印刷する（表示情報を印刷領域に印刷する）。
【００８６】
また、消去残り量Ｓ３が閾値Ｃ以上であったとしても、表示情報の濃度を濃くすることで、作業者が表示情報を視認できる情報保持媒体１０とすることが出来る。
【００８７】
また、印刷指示手段２０６が、印刷指示情報出力処理を行うか否かの閾値（以下、「第２閾値」という。）を、閾値Ａ〜Ｅ（以下、「第１閾値」という。）より大きく設定するようにしてもよい。第２閾値をＡ'〜Ｅ'とする。この場合には、「第１閾値Ａ〜Ｅのうち少なくとも１つ」＜「使用頻度情報Ｓ１〜Ｓ５のうち少なくとも１つ」＜「第２閾値をＡ'〜Ｅ'のうち、少なくとも１つ」であると、判定手段２０４が判定した場合には、印刷指示手段２０６が、印刷指示情報出力処理を行うようにしてもよい。
【００８８】
また、印刷指示手段２０６は出力した印刷指示情報は、ネットワークにより印刷装置１０５０に送信してもよく、人間により、該印刷指示情報を印刷装置１０５０に入力させるようにしてもよい。印刷指示情報を受信した印刷装置１０５０は、該印刷指示情報に基づいて、初期化された情報保持媒体１０の表示部１４に対して表示情報を印刷する。
【００８９】
また、属性を変えて表示情報が印刷された情報保持媒体１０を、顧客が見て、使用できない、と判断すれば、表示情報の印刷をしなおすか、または、品質順位が１つ下の工程で使用するなどすればよい。
【００９０】
この実施形態３の判定装置によれば、使用頻度情報が、閾値より高いと判定され、ステップＳ１０で破棄されると判定されたとしても、その使用頻度情報の内容に応じて（上記の例では、Ｓ２、Ｓ３、Ｓ４、Ｓ５）、印刷装置１０５０に、表示情報の属性を変更して、印刷させる。従って、更に、情報保持媒体１０のコストを削減できる。
【符号の説明】
【００９１】
１０    情報保持媒体
１００    初期化装置
２００    判定装置
２０２    取得手段
２０４    判定手段
２０７    記憶手段
【先行技術文献】
【特許文献】
【００９２】
【特許文献１】特開２００８−３０８２７９号公報
【図１】
0005703908.tif 000002
【図２】
0005703908.tif 000003
【図３】
0005703908.tif 000004
【図４】
0005703908.tif 000005
【図５】
0005703908.tif 000006
【図６】
0005703908.tif 000007
【図７】
0005703908.tif 000008
【図８】
0005703908.tif 000009
【図９】
0005703908.tif 000010
【図１０】
0005703908.tif 000011
【図１１】
0005703908.tif 000012
【図１２】
0005703908.tif 000013
【図１３】
0005703908.tif 000014
【図１４】
0005703908.tif 000015
【図１５】
0005703908.tif 000016
【図１６】
0005703908.tif 000017
【図１７】
0005703908.tif 000018
【図１８】
0005703908.tif 000019